【手続補正書】
【提出日】令和1年5月9日(2019.5.9)
【手続補正１】
【補正対象書類名】明細書
【補正対象項目名】発明の名称
【補正方法】変更
【補正の内容】
【発明の名称】学習支援装置、学習支援方法及びプログラム
【手続補正２】
【補正対象書類名】明細書
【補正対象項目名】０００１
【補正方法】変更
【補正の内容】
【０００１】
本発明は、学習支援装置、学習支援方法及びプログラムに関する。
【手続補正３】
【補正対象書類名】明細書
【補正対象項目名】０００５
【補正方法】変更
【補正の内容】
【０００５】
本発明は、上記の問題点を鑑みてなされたものであり、ユーザにとって使い勝手が良い学習支援装置、学習支援方法及びプログラムを提供することを目的とする。
【手続補正４】
【補正対象書類名】明細書
【補正対象項目名】０００６
【補正方法】変更
【補正の内容】
【０００６】
以上の課題を解決するため、本発明の学習支援装置は、複数の問題のそれぞれに対応するユーザの回答状況を取得する取得手段と、表示手段の画面上に前記複数の問題を選択可能に一覧表示させる制御を行う表示制御手段と、前記表示手段の画面上に一覧表示された前記複数の問題の中から前記ユーザにより問題が選択されると、選択された前記問題に対応して前記取得手段により取得された前記ユーザの回答状況に応じて、前記表示手段の画面に、少なくとも、選択された前記問題の出題に係る第１の表示情報と、前記第１の表示情報とは異なる第２の表示情報と、を含む複数の表示情報のいずれを表示するかを決定する決定手段と、を備え、前記表示制御手段は、前記表示手段の画面に、前記決定手段により決定された表示情報を表示させる制御を行う、ことを特徴とする。
【手続補正５】
【補正対象書類名】特許請求の範囲
【補正対象項目名】全文
【補正方法】変更
【補正の内容】
【特許請求の範囲】
【請求項１】
複数の問題のそれぞれに対応するユーザの回答状況を取得する取得手段と、
表示手段の画面上に前記複数の問題を選択可能に一覧表示させる制御を行う表示制御手段と、
前記表示手段の画面上に一覧表示された前記複数の問題の中から前記ユーザにより問題が選択されると、選択された前記問題に対応して前記取得手段により取得された前記ユーザの回答状況に応じて、前記表示手段の画面に、少なくとも、選択された前記問題の出題に係る第１の表示情報と、前記第１の表示情報とは異なる第２の表示情報と、を含む複数の表示情報のいずれを表示するかを決定する決定手段と、
を備え、
前記表示制御手段は、前記表示手段の画面に、前記決定手段により決定された表示情報を表示させる制御を行う、学習支援装置。
【請求項２】
前記決定手段は、
選択された前記問題に対応する前記ユーザの回答状況が、選択された前記問題に対して前記ユーザにより回答がなされていない状況である場合には、前記表示手段の画面に前記第１の表示情報を表示させ、
選択された前記問題に対応する前記ユーザの回答状況が、選択された前記問題に対して前記ユーザにより回答がなされている状況である場合には、前記表示手段の画面に前記第２の表示情報を表示させることを決定する、請求項１に記載の学習支援装置。
【請求項３】
前記第１の表示情報は、選択された前記問題の回答をユーザが入力するための画面に表示される表示情報であり、前記第２の表示情報は、選択された前記問題に対応する学習用の表示情報である、請求項１または２に記載の学習支援装置。
【請求項４】
前記決定手段は、選択された前記問題に対応する前記ユーザの回答状況が、選択された前記問題に対して前記ユーザにより回答がなされている状況である場合には、前記回答が正解であるか不正解であるかに応じて、前記複数の表示情報のいずれを表示するかを決定する、請求項１から３のいずれか一項に記載の学習支援装置。
【請求項５】
前記決定手段は、
選択された前記問題に対応する前記ユーザの回答状況が、選択された前記問題に対して前記ユーザにより回答がなされている状況である場合において、
前記回答が不正解である場合には、少なくとも、前記第１の表示情報、選択された前記問題と同じレベルの他の問題の出題に係る第３の表示情報、選択された前記問題よりもレベルを落とした他の問題の出題に係る第４の表示情報のうちのいずれかを表示すると決定し、
前記回答が正解である場合には、少なくとも、選択された前記問題に関連したレベルを上げた問題の出題に係る第５の表示情報、又は選択された前記問題に関連した応用情報のうちのいずれかを表示すると決定する、請求項１から請求項４のいずれか一項に記載の学習支援装置。
【請求項６】
前記決定手段は、選択された前記問題に対応する前記ユーザの回答状況が、選択された前記問題に対して前記ユーザにより回答がなされている状況である場合には、前記回答が正解であるか不正解であるかに応じて、選択された前記問題の出題に係る表示情報、又は選択された前記問題とは異なる問題の出題に係る表示情報のうちのいずれかを表示すると決定する、請求項４に記載の学習支援装置。
【請求項７】
テストモードと、解説モードと、テストと学習用の情報による学習モードと、の３つのモードのいずれかにモードを設定する設定手段を備え、
前記決定手段は、前記表示手段の画面上に一覧表示された前記複数の問題の中から前記ユーザにより問題が選択された際に、
前記テストモードが設定されている場合には、選択された問題に対応する前記ユーザの回答状況にかかわらず、選択された前記問題の出題に係る表示情報を表示すると決定し、
前記解説モードが設定されている場合には、選択された問題に対応する前記ユーザの回答状況にかかわらず、選択された前記問題に対応する学習用の情報を表示することを決定し、
前記テストと学習用の情報による学習モードが設定されている場合には、選択された問題に対応する前記ユーザの回答状況に応じて、選択された前記問題の出題に係る表示情報と、選択された前記問題に対応する学習用の情報のいずれを表示するかを決定する、請求項１から請求項６のいずれか一項に記載の学習支援装置。
【請求項８】
前記表示制御手段は、前記表示手段の画面上に前記複数の問題を選択可能に一覧表示させる制御を行う際に、前記問題ごとに前記ユーザの回答状況を識別可能な状態で一覧表示させる、請求項１から請求項７のいずれか一項に記載の学習支援装置。
【請求項９】
前記表示制御手段は、
前記表示手段の画面を、少なくとも前記問題の出題に係る前記第１の表示情報を表示するための画面と、選択された前記問題に対応する学習用の情報である前記第２の表示情報を表示する画面と、をタブ選択可能なタブ選択画面に遷移させるように構成されており、
前記表示手段の画面を前記タブ選択画面に遷移させる際、前記決定手段により決定された前記画面がタブ選択された状態で前記タブ選択画面を前記表示手段に表示させる、請求項１から請求項８のいずれか一項に記載の学習支援装置。
【請求項１０】
複数の問題のそれぞれに対応するユーザの回答状況を取得する取得処理と、
表示手段の画面上に前記複数の問題を選択可能に一覧表示させる制御を行う表示制御処理と、
前記表示手段の画面上に一覧表示された前記複数の問題の中から前記ユーザにより問題が選択されると、選択された前記問題に対応して前記取得手段により取得された前記ユーザの回答状況に応じて、前記表示手段の画面を、少なくとも、選択された前記問題の出題に係る第１の表示情報を表示する第１画面と、前記第１の表示情報とは異なる第２の表示情報を表示する第２画面と、を含む複数の画面のいずれに遷移させるかを決定する決定処理と、
を含み、
前記表示制御処理は、前記表示手段の画面を、前記決定処理により決定された前記画面に遷移させる制御を行う、学習支援方法。
【請求項１１】
コンピュータを、
複数の問題のそれぞれに対応するユーザの回答状況を取得する取得手段、
表示手段の画面上に前記複数の問題を選択可能に一覧表示させる制御を行う表示制御手段、
前記表示手段の画面上に一覧表示された前記複数の問題の中から前記ユーザにより問題が選択されると、選択された前記問題に対応して前記取得手段により取得された前記ユーザの回答状況に応じて、前記表示手段の画面に、少なくとも、選択された前記問題の出題に係る第１の表示情報と、前記第１の表示情報とは異なる第２の表示情報と、を含む複数の表示情報のいずれを表示するかを決定する決定手段、
として機能させ、
前記表示制御手段は、前記表示手段の画面に、前記決定手段により決定された表示情報を表示させる制御を行う、ことを特徴とするプログラム。